(57)【要約】【課題】  照明器具を薄型化することができ、照明器具の安定器との給電接続がし易く、組立性に優れた直管ランプ用ソケットを提供する。【解決手段】  少なくとも２本の直管ランプが直線上に配設される照明器具に使用され、直管ランプの相対する口金を各々接続するソケットにおいて、前面２ａと後面２ｂに開口部３ａ、３ｂを有する外殻部２と、開口部３ａ、３ｂに各々設けられ、直管ランプの一対のランプピンが各々挿入される受金部４ａ、４ｂと、この受金部４ａ，４ｂに挿入されたランプピンに各々接触し、前面２ａ側及び後面２ｂ側に一対ずつ設けられた接触片６，７，８，９と、外殻部２の下面２ｅ側に配設され、照明器具の天板に取り付ける取付部１１と、この取付部１１近傍の外殻部２の上面部側に配設された接触片６，７，８，９への給電用の接続部と、を備える。【選択図】        図４
2005050729.tif 000002
【特許請求の範囲】
【請求項１】
少なくとも２本の直管ランプが直線上に配設される照明器具に使用され、前記直管ランプの相対する口金を各々接続するソケットにおいて、
絶縁性を有し、前面と後面に開口部を有する外殻部と、
この外殻部の前面と後面の前記開口部に各々設けられ、前記直管ランプの一対のランプピンが各々挿入され回転機構を有する回転子と、
この回転子に挿入された前記ランプピンに各々接触し、前面側及び後面側に一対ずつ設けられた接触片と、
前記外殻部の下面側に配設され、前記照明器具の天板に取り付ける取付部と、
この取付部近傍の前記外殻部の上面側に配設された前記接触片への給電用の接続部と、
を備えたことを特徴とする直管ランプ用ソケット。
【請求項２】
接続部を外殻部の両側面のうち少なくとも一方に設けたことを特徴とする請求項１記載の直管ランプ用ソケット。
【請求項３】
接続部を外殻部の前面と後面に設けたことを特徴とする請求項１記載の直管ランプ用ソケット。
【請求項４】
外殻部の前面と後面の中間部の上面側に設けられた切込み部を備えたことを特徴とする請求項１〜３のいずれかに記載の直管ランプ用ソケット。
【請求項５】
ソケットの取付部は、前記ソケットの下面の両側面側、または、前面側と後面側に略Ｌ字状の突出部を少なくとも１ケ所ずつ備え、
前記突出部を照明器具の係合溝に係合させて取り付けることを特徴とする請求項１〜４のいずれかに記載の直管ランプ用ソケット。
【請求項６】
ソケットの取付部は、ソケットの下面の両側面側、または、前記下面の前面側と後面側に突出して設けられた突出部と、     
この突出部の近傍に設けられた突状の押圧部と、
を備え、
照明器具の取付穴の縁部を前記突出部と前記押圧部で挟み込んで取り付けることを特徴とする請求項１〜４のいずれかに記載の直管ランプ用ソケット。
【請求項７】
ソケットの取付部は、前記ソケットの両側面、または、前面と後面に各々設けられ、照明器具の取付穴に嵌合されるスリットを備えたことを特徴とする請求項１〜４のいずれかに記載の直管ランプ用ソケット。
【請求項８】
ソケットの取付部はＴ字形状としたことを特徴とする請求項１〜４のいずれかに記載の直管ランプ用ソケット。
【請求項９】
請求項１〜８のいずれかに記載の直管ランプ用ソケットを装着した照明器具。
【発明の詳細な説明】
【技術分野】
【０００１】
この発明は、少なくとも２本の直管ランプが直線上に配設される照明器具に使用され、直管ランプの相対する口金を各々接続する直管ランプ用ソケットに係り、特に、照明器具を薄型化することができ、照明器具との組立性に優れた直管ランプ用ソケットに関する。
【背景技術】
【０００２】
従来の連用蛍光灯システムは、断面リップ溝形状の配線用ダクトの開口部に着脱自在に固定する固定基板に、配線用ダクト内部に挿入する安定器類と、隣接する蛍光灯本体の安定器類に配線用ダクト内部で接続する接続端子と、配線用ダクトの開口部から突出して隣接する蛍光管の端部相互を支持通電する両面ソケットとを設けて安定器ユニットを形成し、この安定器ユニットを備えた蛍光灯本体を配線用ダクトの開口部長手方向に沿って連続的に配設し、隣接する蛍光灯本体の接続端子と両面ソケットとを介して電気的に連続している。
従来の両面ソケットは、ソケット本体の両面に、蛍光管の口金ピンを挿入する挿入口を設けており、片面に挿入口を設けたソケット本体を一対組み合わせることで両面ソケットを形成したものもある（例えば特許文献１）。
【特許文献１】特許第２７０６８５６号公報（段落００１８、図１〜４）。
【発明の開示】
【発明が解決しようとする課題】
【０００３】
近年、照明器具が薄型化になるにつれ、ソケットの小型化が必要となり、片面のみに受金部があるソケットは安定器の接続をソケットの下面から行い、照明器具内部で接続し、かつ  照明器具との取付は、ソケットの背面から２本のピンを突出させこのピンを照明器具の端板に取り付け薄型としている。
しかしながら、少なくとも２本の直管ランプを直線上に配置する照明器具に使用されるソケット、すなわちソケットの前面及び後面に受金部をもつソケットにおいては、ソケットの前後に受金部を持つため、受金部を片面だけにあるソケットのように端板に取り付けることが、不可能であり、ソケットの下面方向で取りつけなければならない。
【０００４】
このことから、前面と後面に受金部を持つ従来のソケットのような構成としているが、両面ソケットがダクト開口部、すなわち、固定基板から突出し、安定器は固定基板を境界にソケットと逆側にあることからソケットは安定器との接続部は固定基板や照明器具とソケットとの取付面より安定器側になり、照明器具の厚さが厚くなり、また、組立ても固定基板の両側でする必要があり、組立てにくいという問題があった。
【０００５】
また、ソケットを背中合わせに２個使用するものは、組立てもしにくく、背中部分の部材が重複して厚くなるという問題があった。
【０００６】
この発明は上記のような問題点を解消するためになされたもので、照明器具を薄型化することができ、照明器具の安定器との給電接続がし易く、組立性に優れた直管ランプ用ソケットを提供することを目的とする。
【課題を解決するための手段】
【０００７】
この発明に係る直管ランプ用ソケットは、少なくとも２本の直管ランプが直線上に配設される照明器具に使用され、前記直管ランプの相対する口金を各々接続するソケットにおいて、絶縁性を有し、前面と後面に開口部を有する外殻部と、この外殻部の前面と後面の前記開口部に各々設けられ、前記直管ランプの一対のランプピンが各々挿入され回転機構を有する回転子と、この回転子に挿入された前記ランプピンに各々接触し、前面側及び後面側に一対ずつ設けられた接触片と、前記外殻部の下面側に配設され、前記照明器具の天板に取り付ける取付部と、この取付部近傍の前記外殻部の上面側に配設された前記接触片への給電用の接続部と、を備えたものである。
【発明の効果】
【０００８】
以上のように、この発明によれば、少なくとも２本の直管ランプが直線上に配設される照明器具に使用され、前記直管ランプの相対する口金を各々接続するソケットにおいて、絶縁性を有し、前面と後面に開口部を有する外殻部と、この外殻部の前面と後面の前記開口部に各々設けられ、前記直管ランプの一対のランプピンが各々挿入され回転機構を有する回転子と、この回転子に挿入された前記ランプピンに各々接触し、前面側及び後面側に一対ずつ設けられた接触片と、前記外殻部の下面側に配設され、前記照明器具の天板に取り付ける取付部と、この取付部近傍の前記外殻部の上面側に配設された前記接触片への給電用の接続部と、を備えたので、照明器具を薄型化することができ、照明器具の安定器との給電接続がし易く、組立性に優れたものとすることができる。
【発明を実施するための最良の形態】
【０００９】
実施の形態１．  
図１はこの発明の実施の形態１を示す直管ランプ用ソケットが照明器具に取付けられた状態を示す斜視図、図２は図１の断面図、図３は直管ランプ用ソケットに直管用ランプが取付けられた状態の概念図、図４は直管ランプ用ソケットの詳細構成図、図５はこの発明の直管ランプ用ソケットを照明器具に取り付けた場合を従来の直管ランプ用ソケット（以下ソケットと称す）と比較した説明図である。
【００１０】
図１、図２において、直管ランプ用ソケット１は下面部が照明器具２１の天板２１ａの中間部に、反射板２２を介して取り付けられ、図２に示すように、ソケット１は安定器２３と電線２４で接続されている。
同様に、照明器具２１のエンドプレート２１ｂにソケット１の前面部２ａか後面部２ｂの片面のみとした片面ソケット４１が同様にして取り付けられている。
図３において図３（ａ）は上面図、図３（ｂ）は側面図であり、直管ランプ用ソケット１はソケット１の外殻部２の下面部２ｅが、照明器具２１の天板２１ａに取り付けられ、直線上に配設された２本の直管ランプ２５、２６の口金２５ａ、２６ａを外殻部２の前面部２ａ側と後面部２ｂ側で各々接続している。
また、外殻部２の下面部２ｅ近傍の側面部２ｃの前面部２ａ側に給電用の接続部１３ａ、１３ｂ、後面部２ｂ側に給電用の接続部１４ａ、１４ｂが設けられている。
【００１１】
次に、ソケット１の詳細構成を図４により説明する。図４（ａ）はソケット１の部分破断上面図、図４（ｂ）は部分破断側面図、図４（ｃ）は正面図である。
図において、ソケット１の外殻部２は絶縁性を有し、前面２ａと後面２ｂに開口部３ａ、３ｂが各々設けられ、上面部２ｆの中央部にはランプピン（図示せず）が挿入する傾斜部を有する溝２ｈが設けられている。
開口部３ａ、３ｂには、直管ランプ２５、２６の一対のランプピンが各々挿入される受金部であり、回転機構を有する回転子４ａ、４ｂが、支持軸５ａ、５ｂに回転自在に支持されている。支持軸５ａ、５ｂは半割溝５ｃ、５ｄを有し、外殻部２の中間に設けられた仕切板２ｇの前面部２ａ側と後面部２ｂ側に各々立設されている。また、受金部４ａ、４ｂには、一対のランプピンが挿入出されるガイド溝４ｃ、４ｄが設けられており、支持軸５ａ、５ｂの半割溝５ｃ、５ｄは受金部４ａ、４ｂのガイド溝４ｃ、４ｄとほぼ同じ幅である。
【００１２】
外殻部２の前面２ａ側には、受金部４ａ、４ｂに挿入された一対のランプピンに各々接触する一対の接触片６、７が設けられ、後面部２ｂ側には一対の接触片８、９が設けられている。外殻部２の下面部２ｅ側の前面側２ａと後面部２ｂに照明器具の天板２１ａの係合溝（図示せず）に係合させて取り付けられる略Ｌ字状の突出部１１が設けられている。
また、外殻部２の下面部２ｅ近傍の側面部２ｃには、前面部２ａ側の一対の接触片６、７に照明器具の安定器に接続された電線２４の先端部の導電部（図示せず）を介して各々給電される一対の給電用接続部１３ａ、１３ｂが設けられ、後面部２ｂ側には一対の接触片８、９に安定器２３に接続された電線２４の先端部のコネクタを介して各々給電される一対の給電用接続部１４ａ、１４ｂが設けられている。
【００１３】
次に、ソケット１の照明器具への取付を図１〜４により説明する。
ソケット１の照明器具への取付は、ソケット１の外殻部２の下面部２ｅ側を反射板２２に設けられた穴を介して照明器具の天板２１ａに当て、前面側２ａと後面側２ｂに設けられたＬ字形状の突出部１１の先端を天板２１ａの係合溝（図示せず）に係合させて取り付ける。そして、安定器２３からの給電用の電線２４の先端部に接続された導電部（図示せず）を外殻部２の側面部２ｃの前面部２ａ側の一給電用接続部１３ａ、１３ｂに差し込むと、コネクタピンが前面部２ａ側の一対の接触片６、７の端子部６ａ、７ａに接触し電気的に接続される。同様に、給電用の電線２４の先端部に接続されたコネクタピンを外殻部２の側面部２ｃの後面部２ｂ側の給電用接続部１４ａ、１４ｂに差し込むと、コネクタピンが後面部２ｂ側の一対の接触片８、９の端子部８ａ、９ａに接触し電気的に接続される。
【００１４】
また、照明器具の本体２１のエンドプレート２１ｂには、ソケット１の前面部２ａか後面部２ｂの片面のみとした片面ソケット４１を同様にして取り付ける。ただし、突出部１１は両側面側２ｃ、２ｄに設けたものを使用する。
なお、ソケット１の取付、安定器２３からソケット１への電線の接続等は、照明器具２１の片面側で行うことができる。
【００１５】
次に、ランプのソケット１への取付を図１〜４により説明する。例えば、直管ランプ２５を取り付けるときは、エンドプレート２１ａのソケット４１は構成を図示してないが、ソケット１の溝２ｈ、受金部４ａのガイド溝４ｃ、支持軸５ａの溝５ｃ、接触子６、７に対応するものを、溝２ｉ、受金部４ｂのガイド溝４ｄ、支持軸５ｂの溝５ｄとし、接触子８、９とする。
【００１６】
まず、ソケット１の外殻部２の前面部２ａ側の上面部２ｆの溝２ｈに受金部４ａのガイド溝４ｃと支持軸５ａの溝５ｃを合わせる。ソケット４１も同様に、溝２ｉ、受金部４ｂのガイド溝４ｄ、支持軸５ｂの溝５ｄを合わせる。そして、ランプ２５の両端の口金２５ａのランプピンを各々ソケット１、４１の溝２ｈ、２ｉから、ガイド溝４ｃ、４ｄ、溝５ｃ、５ｄへと同時に挿入し、その後、ランプピンを約９０°回転させると、ソケット１では受金部４ａがランプピンと共に回転して、各ランプピンが一対の接触子６、７に各々接触し、この状態で各ランプピンは両側の接触子６、７によって挟持され、ランプピンと接触子６、７とが電気的に接続される。同様にしてソケット４１でもランプピンと接触子８、９とが電気的に接続される。
【００１７】
このようにして、ソケット１の照明器具への取付たものを、図５に示すように、従来のエンドプレート２１ｂに取り付けられた片面ソケット２５と比較すると、従来のソケット２５は、図５（ｂ）に示すようにソケット２５の裏側をエンドプレート２１ｂに取り付けて、電線２４の接続部をソケット２５の下面部に設けているが、本実施の形態のソケット１は、図５（ａ）に示すようにソケットの下面部を照明器具の天板２１ａに取り付けて、電線２４の接続部はソケット１の横に設けているので厚さＨａは従来の厚さＨｂより電線の接続部分だけ薄くなっている。
【００１８】
以上のように、照明器具を薄型化することができ、ソケット１の取付、安定器２３からソケット１への電線の接続等は、照明器具２１の片面側で行うことができ、ソケット１の給電用の接続部１３ａ、１３ｂ、１４ａ、１４ｂが安定器２３側の側面部２ｃにあるので、照明器具の安定器２３との給電接続がし易く、組立性に優れたものとすることができる。
【００１９】
なお、本実施の形態は、接続部を外殻部２側面部２ｃに設けたが、図６に示すように、外殻部２の側面２ｃに接続部３ａ、４ａを設け、側面２ｄに接続部３ｂ、４ｂを設けてもよい。
この場合、外殻部２の形状及び接触子２８、２９、３０、３１の形状をもシンプルな形状とすることができ、部品の工作性をよくすることができる。
【００２０】
また、ソケット１の突出部１１は、前面側２ａと後面側２ｂ、または、両側面側２ｃ、２ｄに複数個ずつ設けてもよい。
【００２１】
実施の形態２．
図７は直管ランプ用ソケットの構成図である。実施の形態１はソケットの接続部をソケットの外殻部の側面部に設けたが、本実施の形態は外殻部の前面部と後面部に設けたものである。
図において実施の形態１の図３と同一または相当部分には同一の符号を付し説明を省略する。外殻部２の前面部２ａには接続部３ａ、３ｂが設けられ、後面部２ｂには接続部４ａ、４ｂが設けられている。接続部３ａ、３ｂに対応する端子部３１ａ、３２ａを有する一対の接触子３１、３２が前面部２ａ側に設けられ、接続部４ａ、４ｂに対応する端子部３３ａ、３４ａを有する一対の接触子３３、３４が後面部２ｂ側に設けられている。
また、ソケット１の下面部２ｅの外殻部２の前面部２ａと後面部２ｂ側に各々突出部２ｋが設けられ、この突出部２ｋの近傍の前面部２ａと後面部２ｂ側に弾力性を有する突状の押圧部２ｊが各々設けられている。
【００２２】
このソケット１の照明器具２１の天板２１ａへの取付は、照明器具２１の天板２１ａの取付穴（図示せず）に押圧部２ｊを没入させながら挿入し、取付穴の縁部を突出部２ｋと押圧部２ｊで挟み込んで行う。
【００２３】
このような構成において、接続部３ａ、３ｂ、４ａ、４ｂが設けられる前面部２ａと後面部２ｂはスペースが側面部２Ｃ、２ｄより広いので、接続部３ａ、３ｂ、４ａ、４ｂの配置等を容易にすることができる。
【００２４】
なお、実施の形態１、２で示したソケット１の取付方法の他、図８に示すように、ソケットの取付部は、ソケット１の外殻部２の両側面部２ｃ、２ｄにスリットを２ｕを設け、照明器具の天板２１ａの取付穴に嵌合してもよい。また、このスリット２ｕは外殻部２の前面部２ａと後部２ｂ面に各々設けてもよい。
【００２５】
実施の形態３．
図９は直管ランプ用ソケットの構成図である。図において実施の形態２の図６と同一または相当部分には同一の符号を付し説明を省略する。
ソケット１の外殻部２の中間部の仕切板２ｇに切込み部２ｑを設け、下面部２ｅの切込み部２ｑに対向した部分に沿って、下面部２ｅから突出したＴ字形状の取付部２ｓを２箇所設けている。
【００２６】
このソケット１の照明器具２１の天板２１ａへの取付は、照明器具２１の天板２１ａの取付溝（図示せず）に取付部２ｓを係合させて行う。
【００２７】
このような構成において、切り込み部２ｑがあり、ランプをソケットに取り付けるときにランプ長が長い場合、ソケット１の外殻部２の前面部２ａ側と後面部２ｂ側が切り込み部２ｑ側に反るので、特に長いランプ等のランプ取付性を優れたものにすることができる。
【００２８】
さらに、取付部２ｓを切込み部２ｑに対応して外殻部２の中間に設けることで、ソケット１の外殻部２の前面部２ａ側と後面部２ｂ側が切り込み部２ｑ側により反りやすくすることができる。
【００２９】
また、ソケット１の下面側の両側にＬ字形状の取付部等を設け、照明器具２１の天板２１ａに固定できるようにしてもよい。
【図面の簡単な説明】
【００３０】
【図１】この発明の実施の形態１を示す直管ランプ用ソケットが照明器具に取付けられた状態を示す斜視図である。
【図２】図１の断面図である。
【図３】この発明の実施の形態１を示す直管ランプ用ソケットに直管用ランプが取付けられた状態の概念図である。
【図４】この発明の実施の形態１を示す直管ランプ用ソケットの詳細構成図である。
【図５】この発明の実施の形態１を示す直管ランプ用ソケットを照明器具に取り付けた場合を従来の直管ランプ用ソケットと比較した説明図である。
【図６】この発明の実施の形態１を示す直管ランプ用ソケットの構成図である。
【図７】この発明の実施の形態２を示す直管ランプ用ソケットの構成図である。
【図８】この発明の実施の形態２を示す直管ランプ用ソケットの構成図である。
【図９】この発明の実施の形態３を示す直管ランプ用ソケットの構成図である。
【符号の説明】
【００３１】
１  ソケット、２  外殻部、２ｋ  突出部、２ｊ  押圧部、２ｕ  スリット、２ｑ  切込み部、２ｓ  取付部、３ａ、３ｂ  開口部、４ａ、４ｂ  受金部、６、７、８、９  接触片、１１  突出部、１３ａ、１３ｂ、１４ａ、１４ｂ  接続部、２１  照明器具、２１ａ  天板、 ２５、２６  直管ランプ、２５ａ、２６ａ口金。
【図１】
2005050729.tif 000003
【図２】
2005050729.tif 000004
【図３】
2005050729.tif 000005
【図４】
2005050729.tif 000006
【図５】
2005050729.tif 000007
【図６】
2005050729.tif 000008
【図７】
2005050729.tif 000009
【図８】
2005050729.tif 000010
【図９】
2005050729.tif 000011